(57)【要約】      （修正有）【課題】マイコン制御自動液体調味料容器は家庭料理の多元化、多種類化、自動化のためである。家庭主婦が毎日の悩み、どういう料理を作るか、どんな材料を使うか、どのぐらい調味料を使用し、手順はどうか、できない料理も作りたい。しかも、液体調味料容器をまとめ、使いやすく、汚したくない気持ちである。本発明は、このような液体調味料容器の欠点一掃する、画期的なものを提供する。【解決手段】容器本体１とその正面に付いているマイコン液晶パネル６と取手に付いているコントロールポタン７と本体１にいくつ取替可能の液体調味料容器１２と壁に取付け可能の全方向回転アーム２と交換可能のメモリカート差込口４と脱着便利な附属液体調味料混和容器を組み合わせで、液体調味料を下部から流出するように使用するものである。【選択図】図４
2005000596.tif 000002
【特許請求の範囲】
【請求項１】
下部開口部をいくつ有し凹凸な底部を有する容器、と前記上部開口部に嵌着され且つ開閉自在に通気孔を有する上蓋体、と前記容器の中いくつ室を分割されている分室、と前記分室に簡単に入れ換えできる液体調味料容器であって、前記容器の正面コンピュータ制御液晶パネルを有する。前記コンピュータに対してメモリカート差込口を有する。前記液晶パネル操作するコントロールボタンを有する。前記容器の背面か側面に容器の重さを軽減する弯曲アームを有する。前記弯曲アームを壁に係り止めできる、係り止め手段を有する特徴とするマイコン制御自動液体調味料容器。
【請求項２】
前記係り止め手段は、前記弯曲アームの一端本体に固定する部分を有する、と前記弯曲アームの一端壁に固定する部分を有することを特徴とする請求項１記載のマイコン制御自動液体調味料容器。
【請求項３】
前記壁に固定する部分は全方位旋回機能を有することを特徴とする請求項１記載のマイコン制御自動液体調味料容器。
【請求項４】
前記マイコン制御液晶パネルは、前記容器の液体調味料の量と種類の調節機能を有することを特徴とする請求項１記載のマイコン制御自動液体調味料容器。
【請求項５】
前記弯曲アームは前記容器の重さを軽減する機能を有することを特徴とする請求項１記載のマイコン制御自動液体調味料容器。
【請求項６】
前記液晶パネルは前記メニューを調査する機能を有することを特徴とする請求項１記載のマイコン制御自動液体調味料容器。
【請求項７】
前記コンピュータは前記メモリカートをする機能を有することを特徴とする請求項１記載のマイコン制御自動液体調味料容器。
【請求項８】
前記容器は簡単に入り換え液体調味料容器を有することを特徴とする請求項１記載のマイコン制御自動液体調味料容器。
【請求項９】
前記容器は前記液体調味料容器の残量をセンサーで探知する機能を有することを特徴とする請求項１記載のマイコン制御自動液体調味料容器。
【請求項１０】
前記容器はパネルメニューを操作する取手のボタンを有することを特徴とする請求項１記載のマイコン制御自動液体調味料容器。
【請求項１１】
前記容器はメニューの内容を変化するメモリカートを有することを特徴とする請求項１記載のマイコン制御自動液体調味料容器。
【請求項１２】
前記容器はうち部分はいくつ分割した小室を有することを特徴とする請求項１記載のマイコン制御自動液体調味料容器。
【請求項１３】
前記容器は上蓋に通気孔を有することを特徴とする請求項１記載のマイコン制御自動液体調味料容器。
【請求項１４】
前記容器はプラスチックにて成形されることを特徴とする請求項１記載のマイコン制御自動液体調味料容器。
【請求項１５】
前記液体調味料容器は上部取手を有することを特徴とする請求項１記載のマイコン制御自動液体調味料容器。
【請求項１６】
前記液体調味料容器は上部通気孔を有することを特徴とする請求項１記載のマイコン制御自動液体調味料容器。
【請求項１７】
前記液体調味料容器は上部四方角形、下部方錐形を有することを特徴とする請求項１記載のマイコン制御自動液体調味料容器。
【請求項１８】
前記液体調味料容器は先端部スプリンクをとめる突出部分を有することを特徴とする請求項１記載のマイコン制御自動液体調味料容器。
【請求項１９】
前記液体調味料容器の中はＹ形管状部分を有し上下できるピストンを有することを特徴とする請求項１記載のマイコン制御自動液体調味料容器。
【請求項２０】
前記液体調味料容器はガラスにて成形されていることを有することを特徴とする請求項１記載のマイコン制御自動液体調味料容器。
【請求項２１】
前記液体調味料容器はプラスチックにて成形されていることを有することを特徴とする請求項１記載のマイコン制御自動液体調味料容器。
【発明の詳細な説明】
【０００１】
【発明の属する技術分野】本発明は、厨房で使用するマイコン制御自動液体調味料容器に関するものである。
【０００２】
【従来の技術】従来、醤油等液体調味料を収容する容器といえば、単種類の容器はほとんどである、その素材の種類を問わず、上蓋部から注出する構造であるため、使用時には容器体を必ず手に把持し、これを９０度以上傾けて使用するのが常識であり。しかし、これでは傾注時に液体の洩れや使用する量を把握できない欠点がある、それに、液体調味料容器はさまざまな形状がある、場所と辨別とまとめにくい欠点がある。
【０００３】
【発明が解決しようとする課題】マイコン制御自動液体調味料容器は家庭料理の多元化、多種類化、自動化のためである。家庭主婦が毎日の悩み、とういう料理を作るか、どんな材料を使うか、どのぐらい調味料を使用する、手順はとう、できない料理も作りたい。しかも、液体調味料容器をまとめたい、使いやすい、汚れたくないである。本発明は、このような液体調味料容器の欠点一掃する、画期的なものを提供することを目的とする。
【０００４】
【課題を解決するための手段】容器本体とその正面に付いているマイコン液晶パネルと取手に付いているコントロールポタンと本体にいくつ取替可能の液体調味料容器と壁に取付け可能の全方向回転アームと交換可能のメモリカート差込口と脱着便利な附属液体調味料混和容器。
【０００５】
【発明の実施の形態】容器本体内各種の液体調味料容器を入れる状態でふたをしめ、これを使用するときは、右手はハンドルを持ち、指でコントロールボタンを操作する。使いたい液体調味料は液晶パネルで確認選択し、実行を押すと、コンピュータが決められた液体調味料の容器を作動部材で加圧し、液体調味料容器のピストン部分のスプリンクを圧縮され、ピストン中のＹ形管状部分液体に入り、液体調味料はＹ形管状部分に通って、下から流出する、その流出する量はコンピュータで制御できる。
【０００６】
【実施例】図１〜図５に基づいて実施例を説明する、容器本体１は使える状態のまま、容器本体内各種の液体調味料容器１２を仕切り壁１１で分割されている分室を入れる状態でふた９をしめ、ハンドル５持ち、指でコントロールボタン７を操作する。使いたい液体調味料は液晶パネルで６確認選択し、実行を押すと、コンピュータが決められた液体調味料の容器１２を作動部材で加圧し、液体調味料容器１２のピストン１４部分のスプリンク１５を圧縮され、ピストン１４中のＹ形管状部分１９収納部２０に入り、液体調味料はＹ形管状部分１９に通って、液体調味料出口１８から流出する、その流出する量はコンピュータで制御できる。
【０００７】
【発明の効果】本発明は、家庭主婦が毎日の悩み、とういう料理作るか、できない料理も気軽にコンピュータで調べて、材料と手順と調味料がわかる、今までできない料理も作れます。液体調味料はさまざまありますが、この機械によって各種液体調味料をまとめることができ、簡単に交換でき、時間と空間の節約できる、しかもリサイクル可能、コミを減らす。手を汚れることをなく、こぼれることもなく。何の料理つくるか、どのぐらい量の液体調味料使うか、すべてコンドロールでき、下手の方でもうまい料理をできる。市場の消費にもつながる。
【図面の簡単な説明】
【図１】全体を示した図である
【図２】上部から示した断面図である（蓋なし）
【図３】液体調味料容器を示した断面図である
【図４】正面を示した断面図である
【図５】底面を示した図である
【図６】液体調味料容器付属混和容器を示した断面図である
【符号の説明】
１本体
２アーム
３固定具
４メモリカート差込口
５ハンドル
６液晶パネル
７コントロールボタン
８止め具
９蓋
１０本体通気孔
１１仕切り壁
１２液体調味料容器
１３取手
１４ピストン
１５スプリンク
１６ゴム輪（パキン）
１７通気孔
１８液体調味料出口
１９Ｙ形管
２０収納部
【図１】
2005000596.tif 000003
【図２】
2005000596.tif 000004
【図４】
2005000596.tif 000005
【図３】
2005000596.tif 000006
【図５】
2005000596.tif 000007
【手続補正書】
【提出日】平成15年9月8日(2003.9.8)
【手続補正１】
【補正対象書類名】明細書
【補正対象項目名】図面の簡単な説明
【補正方法】変更
【補正の内容】
【図面の簡単な説明】
【図１】全体を示した図である
【図２】上部から示した断面図である（蓋なし）
【図３】液体調味料容器を示した断面図である
【図４】正面を示した断面図である
【図５】底面を示した図である
【図６】液体調味料容器付属混和容器を示した断面図である
【符号の説明】
１  本体
２  アーム
３  固定具
４  メモリカート差込口
５  ハンドル
６  液晶パネル
７  コントロールボタン
８  止め具
９  蓋
１０本体通気孔
１１仕切り壁
１２液体調味料容器
１３取手
１４ピストン
１５スプリンク
１６ゴム輪（パキン）
１７通気孔
１８液体調味料出口
１９Ｙ形管
２０収納部
２１混合プロペラ
２２開閉栓


【手続補正２】
【補正対象書類名】図面
【補正対象項目名】全図
【補正方法】変更
【補正の内容】
【図１】
2005000596.tif 000008
【図２】
2005000596.tif 000009
【図３】
2005000596.tif 000010
【図４】
2005000596.tif 000011
【図５】
2005000596.tif 000012
【図６】
2005000596.tif 000013